(57)【要約】【課題】道路上に設置可能な強度を有し、且つ、部品交換が容易な太陽電池ユニットを提供する。【解決手段】太陽電池ユニット８０は、太陽電池モジュール３０、底部ブロック１０、一対のモジュール固定用ブロック４１、４２、強化ガラス５０、一対の強化ガラス固定用ブロック６１、６２等を備える。底部ブロック１０は、太陽電池モジュール３０の下面に露出した正電極３７及び負電極３８に対応する位置に、導電バーが収容される複数の配線溝１１〜１４が凹設される。強化ガラス５０は、太陽電池モジュール３０の上面を覆い、太陽光を透過可能であり、Ｘ方向の地側の幅Ｗ２は天側の幅Ｗ１よりも大きく、且つ、太陽電池モジュール３０の上面の幅Ｗ０を含むように形成されている。太陽電池ユニット８０は、強化ガラス５０及び太陽電池モジュール３０を天側から順に分解可能、又は、太陽電池モジュール３０を正面側からＹ方向に沿ってスライドさせて分解可能である。【選択図】図２
2020039195.tif 000002
【特許請求の範囲】
【請求項１】
道路を含む地表、又は、地表の凹部に単独で又は複数並べて設置される太陽電池ユニットであって、
一つの前記太陽電池ユニットは、
天側に位置する上面（３１）、地側に位置する下面（３２）、正面（３３）、背面（３４）、左側面（３５）及び右側面（３６）からなる直方体状に形成され、左側面及び右側面に直交する方向をＸ方向と定義し、正面及び背面に直交する方向をＹ方向と定義すると、下面におけるＸ方向に互いに異なる位置に正電極（３７）及び負電極（３８）が露出し、太陽光を受けて発電可能な太陽電池モジュール（３０）と、
前記太陽電池モジュールの地側に、Ｘ方向において前記太陽電池モジュールの両側に延伸するように敷設され、前記太陽電池モジュールの少なくとも前記正電極及び前記負電極に対応する位置に複数の配線溝（１１〜１４）が凹設される底部ブロック（１０）と、
前記配線溝に収容され、前記正電極及び前記負電極にそれぞれ接触し通電される複数の導電バー（２１、２２）と、
前記太陽電池モジュールのＸ方向の両側で前記底部ブロックに載置され、前記太陽電池モジュールを挟むように固定する一対のモジュール固定用ブロック（４１、４２）と、
前記太陽電池モジュールの上面を覆い、太陽光を透過可能であり、Ｘ方向の地側の幅（Ｗ２）は天側の幅（Ｗ１）よりも大きく、且つ、前記太陽電池モジュールの上面の幅（Ｗ０）を含むように形成された強化ガラス（５０）と、
前記強化ガラスのＸ方向の両側で一対の前記モジュール固定用ブロックに載置され、前記強化ガラスをＸ方向に挟み、且つ天側から押さえるように固定する一対の強化ガラス固定用ブロック（６１、６２）と、
少なくとも前記強化ガラス固定用ブロック及び前記モジュール固定用ブロックに天地方向に形成されたボルト穴（６５、４５）に挿通される複数のボルト（７５）と、
を備え、
前記強化ガラス及び前記太陽電池モジュールを天側から順に分解可能、又は、前記太陽電池モジュールを正面側からＹ方向に沿ってスライドさせて分解可能である太陽電池ユニット。
【請求項２】
前記底部ブロックは、前記太陽電池モジュールの前記正電極及び前記負電極に対応する位置以外にさらに他の配線溝が凹設されており、
前記配線溝のうち配線に使用されない箇所に絶縁バー（２５）が収容される請求項１に記載の太陽電池ユニット。
【請求項３】
前記太陽電池モジュールは、対向する一対の前記モジュール固定用ブロックに嵌合する凹凸部（３９１〜３９３）が組立方向の中心に対して非対称に設けられている請求項１または２に記載の太陽電池ユニット。
【請求項４】
前記ボルトの軸に直交する方向から前記ボルトの外周面に向かって締め込まれ、前記ボルトを固定する留めネジ（７７）をさらに備える請求項１〜３のいずれか一項に記載の太陽電池ユニット。
【請求項５】
前記モジュール固定用ブロックは、ジャッキアップボルト（８７）及びアイボルト（８８）が螺合可能な雌ねじ穴（４８）が形成されている請求項１〜４のいずれか一項に記載の太陽電池ユニット。
【発明の詳細な説明】
【技術分野】
【０００１】
本発明は、太陽電池モジュールと設置用のブロック等とがユニット化された太陽電池ユニットに関する。
【背景技術】
【０００２】
従来、例えば特許文献１には、太陽電池モジュールを道路上に設置し、道路に照射される太陽エネルギーを発電に利用する技術が開示されている。
【０００３】
また、例えば特許文献２には、屋根等に設置される一般的な太陽電池モジュールにおいて、太陽電池モジュールを支持部材の嵌合部にスライド可能に設け、リサイクル時の脱着を容易にする技術が開示されている。
【先行技術文献】
【特許文献】
【０００４】
【特許文献１】特開２０１３−３８２２８号公報
【特許文献２】特開２０１５−２２３０１２号公報
【発明の概要】
【発明が解決しようとする課題】
【０００５】
太陽電池モジュールを道路上に設置する場合、通行車両等の重量に耐える構造とする必要がある。また、太陽電池モジュールや周辺部品が破損した場合い容易に交換可能であることが求められる。しかし特許文献１には、道路上に設置される太陽電池モジュールについて、故障時の部品交換方法に関し何ら言及されていない。また、特許文献２のリサイクル技術は、屋根等に取り付けられる一般的な太陽電池モジュールを想定したものであり、強度要求の高い道路設置用の太陽電池モジュールに、そのまま適用することは難しい。
【０００６】
本発明は、上述の問題に鑑みてなされたものであり、その目的は、道路上に設置可能な強度を有し、且つ、部品交換が容易な太陽電池ユニットを提供することにある。
【課題を解決するための手段】
【０００７】
本発明は、道路を含む地表、又は、地表の凹部に単独で又は複数並べて設置される太陽電池ユニットである。一つの太陽電池ユニットは、太陽電池モジュール（３０）と、底部ブロック（１０）と、複数の導電バー（２１、２２）と、一対のモジュール固定用ブロック（４１、４２）と、強化ガラス（５０）と、一対の強化ガラス固定用ブロック（６１、６２）と、複数のボルト（７５）と、を備える。
【０００８】
太陽電池モジュール（３０）は、天側に位置する上面（３１）、地側に位置する下面（３２）、正面（３３）、背面（３４）、左側面（３５）及び右側面（３６）からなる直方体状に形成される。左側面及び右側面に直交する方向をＸ方向と定義し、正面及び背面に直交する方向をＹ方向と定義すると、太陽電池モジュールは、下面におけるＸ方向に互いに異なる位置に正電極（３７）及び負電極（３８）が露出し、太陽光を受けて発電可能である。
【０００９】
底部ブロックは、太陽電池モジュールの地側に、Ｘ方向において太陽電池モジュールの両側に延伸するように敷設され、太陽電池モジュールの少なくとも正電極及び負電極に対応する位置に複数の配線溝（１１〜１４）が凹設される。複数の導電バーは、配線溝に収容され、正電極及び負電極にそれぞれ接触し通電される。
【００１０】
一対のモジュール固定用ブロックは、太陽電池モジュールのＸ方向の両側で底部ブロックに載置され、太陽電池モジュールを挟むように固定する。
【００１１】
強化ガラスは、太陽電池モジュールの上面を覆い、太陽光を透過可能であり、Ｘ方向の地側の幅（Ｗ２）は天側の幅（Ｗ１）よりも大きく、且つ、太陽電池モジュールの上面の幅（Ｗ０）を含むように形成されている。
【００１２】
一対の強化ガラス固定用ブロックは、強化ガラスのＸ方向の両側で一対のモジュール固定用ブロックに載置され、強化ガラスをＸ方向に挟み、且つ天側から押さえるように固定する。複数のボルトは、少なくとも強化ガラス固定用ブロック及びモジュール固定用ブロックに天地方向に形成されたボルト穴（６５、４５）に挿通される。
【００１３】
そして、この太陽電池ユニットは、強化ガラス及び太陽電池モジュールを天側から順に分解可能、又は、太陽電池モジュールを正面側からＹ方向に沿ってスライドさせて分解可能である。
【００１４】
本発明の太陽電池ユニットは、太陽電池モジュールの上面を強化ガラスが覆うことで、強化ガラスに加わる荷重、例えば通行車両の重量が太陽電池モジュールにかかることが防止される。また、太陽電池モジュール及び強化ガラスのＸ方向の両側は、それぞれ固定用ブロックで固定されるため、振動や外部の衝撃等による破損が防止される。
【００１５】
また、太陽電池モジュールへの通電は、太陽電池モジュールの下面に露出する正負電極と導電バーとの接触により実現される。コネクタ等の着脱作業が不要であるため、組立及び分解が容易となる。
【図面の簡単な説明】
【００１６】
【図１】太陽電池ユニットを用いた太陽光発電システムの全体構成図。
【図２】（ａ）太陽電池ユニットの組立状態、（ｂ）太陽電池モジュールの構成を示す斜視図。
【図３】底面ブロックの（ａ）平面図、（ｂ）正面図。
【図４】底面ブロックの配線溝に導電バーを収容した状態の（ａ）平面図、（ｂ）正面図。
【図５】（ａ）直線型導電バー、（ｂ）Ｌ字型導電バー、（ｃ）絶縁バーの斜視図。
【図６】太陽電池モジュールの誤組立を防止する構造例であり、（ａ）天側から組み立てる例の平面図、（ｂ）正面側から組み立てる例の正面図。
【図７】留めネジによるボルトの固定構造を示す（ａ）ＶＩＩａ−ＶＩＩａ線断面図、（ｂ）正面図。
【図８】モジュール固定用ブロックの（ａ）ジャッキアップ、（ｂ）吊り下げ方法を説明する図。
【発明を実施するための形態】
【００１７】
（一実施形態）
以下、太陽電池ユニットの一実施形態を図面に基づいて説明する。本実施形態の太陽電池ユニットは、太陽電池モジュールと、当該モジュールを設置するためのブロック等とがユニット化されたものである。この太陽電池ユニットは、道路等の地表に単独で又は複数並べて設置される。
【００１８】
最初に、太陽電池ユニット８０を用いた太陽光発電システムの全体構成について、図１を参照して説明する。図１の例では、複数の太陽電池ユニット８０が並べて、地表Ｇｄの凹部Ｄに設置されている。地表Ｇｄには、公共の道路、公園、駐車場、私有地の地面等が含まれる。また、道路等に設置される場合には、太陽電池ユニット８０の高さ相当の凹部Ｄに設置することで、ユニット上面と周辺との段差を無くすことが好ましい場合がある。
【００１９】
太陽電池ユニット８０は、太陽電池モジュール３０の周囲を各種ブロックが囲むように構成されており、その詳細は図２を参照して説明する。各太陽電池ユニット８０の太陽電池モジュール３０により発電された直流電力は、制御ボックス９１を経由して蓄電池９５に充電される。
【００２０】
制御ボックス９１にはユニット８０毎の電力回路が並列に設けられている。各電力回路には、正極線Ｌｐと負極線Ｌｎとに跨って接続される直流開閉器（図中「ＳＷ」）９２、バイパスダイオード９３、及び、正極線Ｌｐに流れる電流を検出する電流計９４等が設けられている。蓄電池９５に充電された直流電力は、街灯等の直流機器に供給されたり、パワーコンディショナー（図中「ＰＣ」）で交流電力に変換され交流機器に供給されたりする。
【００２１】
ところで、屋根等に設置される場合に比べて道路等の地表に設置される場合、太陽電池ユニット８０には、通行車両の重量等に耐える強度が要求される。また、太陽電池モジュール３０等が故障して部品を交換する場合に、ユニットごと交換するのでなく、故障した部品のみを容易に交換可能であることが求められる。本実施形態の太陽電池ユニット８０は、そのような要求に対して考案されたものである。
【００２２】
次に図２（ａ）を参照し、一つの太陽電池ユニット８０の構成について説明する。おおまかに太陽電池ユニット８０は、上断、中段、下段の三段構成であり、下段は底部ブロック１０により構成される。中段は、中央に太陽電池モジュール３０が設置され、その両側に一対のモジュール固定用ブロック４１、４２が設置される。上段は、中央に強化ガラス５０が設置され、その両側に一対の強化ガラス固定用ブロック６１、６２が設置される。
【００２３】
太陽電池モジュール３０は、太陽光を受けて発電可能な主要機能部品である。ここで図２（ｂ）を参照し、位置関係を説明するための用語を定義する。太陽電池モジュール３０は、天側に位置する上面３１、地側に位置する下面３２、正面３３、背面３４、左側面３５及び右側面３６からなる直方体状に形成される。なお、「直方体状」とはあくまで全体の概略形状を示すものであり、局所的な凹凸、段差、斜面等が存在してもかまわない。
【００２４】
左側面３５及び右側面３６に直交する方向（すなわち幅方向）をＸ方向」と定義し、正面３３及び背面３４に直交する方向（すなわち奥行き方向）を「Ｙ方向」と定義する。なお、高さ方向はＺ方向に相当するが、本明細書では、基本的に高さ方向を「天地方向」と記す。なお、Ｘ方向及びＹ方向が含まれる「水平方向」や「天地方向」の用語は厳密な水平、天地を示すものと限らず、柔軟に解釈される。例えば太陽電池ユニット８０は傾斜面の道路に設置されてもよく、その場合、道路の基準面が水平面となる。
【００２５】
太陽電池モジュール３０は、下面３２のＸ方向に互いに異なる位置に正電極３７及び負電極３８が露出している。底部ブロック１０は、太陽電池モジュール３０の地側に、Ｘ方向において太陽電池モジュール３０の両側に延伸するように敷設される。配線溝１１〜１４については、図３、図４を参照して後述する。一対のモジュール固定用ブロック４１、４２は、太陽電池モジュール３０のＸ方向の両側で底部ブロック１０に載置され、太陽電池モジュール３０を挟むように固定する。
【００２６】
強化ガラス５０は、太陽電池モジュール３０の上面３１を覆い、太陽光を透過可能である。また、強化ガラス５０は、通行車両等の重量に耐える強度を有する材料で構成されている。正面から視て強化ガラス５０は、下辺が上辺より長い等脚台形を呈している。すなわち、Ｘ方向の地側の幅Ｗ２は、天側の幅Ｗ１よりも大きい。且つ、Ｘ方向の地側の幅Ｗ２は、太陽電池モジュール３０の上面３１の幅Ｗ０を含むように形成されている。
【００２７】
また、強化ガラス５０の底面と太陽電池モジュール３０の上面３１との間には、寸法ばらつきによって突き当て状態となった場合に、強化ガラス５０が受けた荷重が太陽電池モジュール３０に伝わることを避けるため、微小な隙間Δが形成されることが好ましい。
【００２８】
一対の強化ガラス固定用ブロック６１、６２は、強化ガラス５０のＸ方向の両側で一対のモジュール固定用ブロック４１、４２に載置され、強化ガラス５０をＸ方向に挟み、且つ天側から押さえるように固定する。つまり、図２に例示する強化ガラス固定用ブロック６１、６２は、正面から視て、上辺が下辺に対し内側に延伸した台形を呈し、強化ガラス５０の両側面に斜め上方から被さるように配置されている。したがって、通行車両による振動等により強化ガラス５０が上方に跳ね上がることが防止される。なお、他の実施形態では、強化ガラス５０及び強化ガラス固定用ブロック６１、６２の境界は単一の傾斜面でなく、複数の傾斜面や段差面を組み合わせて構成されてもよい。
【００２９】
強化ガラス固定用ブロック６１、６２には、図示しないボルトが挿通される座繰り穴６４及びボルト穴６５が形成されている。ボルトによる固定構造に関しては、図７を参照して後述する。
【００３０】
続いて、図３に示すように、底部ブロック１０の上面には配線溝１１〜１４が格子状に凹設されている。配線溝１１、１２はＹ方向に延び、配線溝１３、１４は、配線溝１１、１２と交差してＸ方向に延びるように形成されている。各配線溝１１〜１４の幅及び深さは同等であり、底面は平坦である。図４に示すように、配線溝１１、１２には、それぞれ導電バー２１、２２が収容されている。配線溝１３、１４のうち配線溝１１、１２と交差する箇所以外の部分には、分断された絶縁バー２５が収容されている。
【００３１】
配線溝１１、１２は、それぞれ、太陽電池モジュール３０の正電極３７及び負電極３８のＸ方向の位置に対応する位置に形成されている。太陽電池モジュール３０を底部ブロック１０の上面に載せたとき、正電極３７は、配線溝１１に収容された正極用導電バー２１の上面に当接し、負電極３８は、配線溝１２に収容された負極用導電バー２２の上面に当接する。正電極３７及び負電極３８の当接部は、確実に当接するよう突起状等に形成されることが好ましい。
【００３２】
導電バー２１、２２は、銅等の導電性金属で形成され、正電極３７及び負電極３８にそれぞれ接触し通電される。組立時の極性の間違いを防止するため、例えば正極用導電バー２１には「＋」、負極用導電バー２２には「−」の文字が表示されたり、異なる着色がされたりすることが好ましい。また、配線溝１３、１４のうち配線に使用されない箇所に、樹脂や炭素等により形成される絶縁バー２５が収容されることで、配線間の異物や漏水等による短絡を防止することができる。
【００３３】
図５（ａ）、（ｂ）に示すように、導電バーは、直線型導電バー２１、２２の他、配線を直交方向に接続するＬ字型導電バー２３等が用意されており、配線経路に応じて組み合わせて使用される。導電バー２１〜２３の端部には金属製の弾性部２４が設置されており、隣接する導電バーに弾性部２４が当接することにより電気的接触が保証される。絶縁バーは、図５（ｃ）に示すような単純な直線型のものが一種類あればよい。
【００３４】
次に図６に、太陽電池モジュール３０を前後反対に間違えて取り付けることを防止する構造例を示す。図６（ａ）に示すように天側から組み立てる例では、太陽電池モジュール３０とモジュール固定用ブロック４１、４２との対向面に、天地方向に延びる凹凸部３９１、３９２が形成されている。凹凸部３９１、３９２は、例えば太陽電池モジュール３０側のリブと、当該リブが嵌合するモジュール固定用ブロック４１、４２側の溝とで構成される。凹凸部３９１、３９２は、太陽電池モジュール３０の中心Ｏに対し回転非対称に設けられており、前後を反対に間違えた場合、組み立てることができない。
【００３５】
図６（ｂ）に示すように正面側から組み立てる例では、太陽電池モジュール３０と、片側のモジュール固定用ブロック４１との対向面に、Ｙ方向に延びる凹凸部３９３が形成されている。片側のみに非対称に凹凸部３９３を形成することで、同様に誤組立を防止することができる。
【００３６】
次に図７を参照し、ブロック同士の固定構造について説明する。ここでは、代表として図２の左側の強化ガラス固定用ブロック６１及びモジュール固定用ブロック４１の符号を用いる。強化ガラス固定用ブロック６１には、天地方向にボルト７５の胴部が挿通されるボルト穴６５が形成されている。また、ボルト穴６５の上部には、ボルト７５のキャップ部が収容される、ボルト穴６５より径の大きい座繰り穴６４が形成されている。
【００３７】
モジュール固定用ブロック４１には、ボルト穴６５に連通するボルト穴４５が形成されている。一般的なボルト締結構造では、モジュール固定用ブロック４１に雌ねじ穴を形成し、ボルト７５を雌ねじ穴に螺合する。その場合、ボルト７５の天側においてキャップに六角レンチ等の工具を装着するスペースが必要となる。それに対し本実施形態では、ボルト７５の天側に作業スペースが確保できない場合にも適用可能な固定構造を提案する。
【００３８】
図７に示すように、ボルト穴４５は雌ねじの形成されていない単純な穴でよい。また、モジュール固定用ブロック４１の正面からボルト穴４５に向かって水平に留めネジ穴４７が形成されている。留めネジ穴４７には雌ねじが螺設されている。ボルト７５の先端付近には、ボルト穴６５に挿入したときの留めネジ穴４７の高さに合わせて、外周溝７５ｇが形成されている。留めネジ７７は、先端部外径がボルト７５の外周溝７５ｇに係合するように留めネジ穴４７に螺着され、ボルト７５を固定する。さらに、留めネジ７７の先端面が外周溝７５ｇの底面に押し付けられてもよい。
【００３９】
こうして、ボルト７５及び留めネジ７７により、強化ガラス固定用ブロック６１がモジュール固定用ブロック４１に固定される。この構造では、モジュール固定用ブロック４１の正面側で留めネジ７７を締める作業ができればよい。なお、モジュール固定用ブロック４１と強化ガラス固定用ブロック６１とは離れない程度に固定されればよく、大きな締結力は必要ない。
【００４０】
また、モジュール固定用ブロック４１と底部ブロック１０との固定については、例えば底部ブロック１０の上面から突出する連結ピン１５をネジ結合等により設け、連結ピン１５の先端付近にボルト７５と同様の外周溝１５ｇを形成する。そして、モジュール固定用ブロック４１に形成された別の留めネジ穴４７に、別の留めネジ７７の先端部外径が連結ピン１５の外周溝１５ｇに係合するように螺着される。こうして、モジュール固定用ブロック４１が底部ブロック１０に固定される。
【００４１】
次に図８を参照し、モジュール固定用ブロック４１、４２と底部ブロック１０との分解作業について説明する。ここでは、代表として図２の左側のモジュール固定用ブロック４１の符号を用いる。モジュール固定用ブロック４１には、天地方向に貫通する雌ねじ穴４８が、好ましくはバランスの良い位置に２箇所形成されている。雌ねじ穴４８は、図７のボルト穴４５と兼用されてもよく、別に形成されてもよい。
【００４２】
長期間、地中に埋設された後、モジュール固定用ブロック４１と底部ブロック１０との界面は錆やヤニで貼り付いており、容易に剥がれない可能性がある。そこで、図８（ａ）に示すように、モジュール固定用ブロック４１の高さより長いネジ長を有するジャッキアップボルト８７を２箇所の雌ねじ穴４８に、先端が底部ブロック１０の上面に当接するまでねじ込む。そして、２箇所のジャッキアップボルト８７をさらにバランス良く締め込むことで、界面の貼り付きを引き剥がし、底部ブロック１０との縁を切る。縁が切れたら、ジャッキアップボルト８７を緩めて抜く。
【００４３】
その後、図８（ｂ）に示すように雌ねじ穴４８にアイボルト８８を取り付け、ワイヤを架けてクレーン等を用いて引き上げる。こうして、モジュール固定用ブロック４１を底部ブロック１０から安全に分解することができる。なお、分解作業時以外は雌ねじ穴４８にプラグを取り付けることで、異物の侵入防止やねじ山の保護をすることができる。
【００４４】
その他、特に太陽電池ユニット８０が公共の道路等に設置される場合、不特定者による盗難やいたずらを受けるおそれがある。そこで、外部から操作可能な箇所は、特殊工具でしか緩められないボルト等を使用することが好ましい。
【００４５】
（効果）
（１）この太陽電池ユニット８０は、太陽電池モジュール３０の上面３１が強化ガラス５０で覆われる。特に、強化ガラス５０のＸ方向の地側の幅Ｗ２は、太陽電池モジュール３０の上面３１の幅Ｗ０を含むように形成されているため、上面３１の全部が強化ガラス５０に覆われることが保証される。また、強化ガラス５０の底面と太陽電池モジュール３０の上面３１との間に微小な隙間Δが形成されることで、強化ガラス５０が受けた荷重が太陽電池モジュール３０に伝わることが防止される。
【００４６】
（２）太陽電池モジュール３０は、Ｘ方向の両側がモジュール固定用ブロック４１、４２で固定され、強化ガラス５０は、Ｘ方向の両側が強化ガラス固定用ブロック６１、６２で固定されている。したがって、振動や外部の衝撃から太陽電池モジュール３０及び強化ガラス５０が適切に保護され、破損が防止される。
【００４７】
（３）太陽電池モジュール３０と制御ボックス９１との間の通電に導電バー２１、２２が用いられるため、一般のケーブルを用いる場合に比べて断線のおそれが少ない。また、太陽電池モジュール３０の下面３２に露出した正負電極３７、３８を導電バー２１、２２に直接接触させるため、コネクタ等の着脱作業が不要で、組立及び分解が容易となる。さらに、配線溝１１〜１４のうち配線に使用されない箇所に絶縁バー２５が収容されることで、絶縁性が向上する。
【００４８】
（４）太陽電池モジュール３０は、対向する一対のモジュール固定用ブロック４１、４２に嵌合する凹凸部３９１〜３９３が組立方向の中心に対して非対称に設けられている。これにより、太陽電池モジュール３０を前後反対に組み立てることが防止される。
【００４９】
（５）ブロック同士の固定構造として、ボルトを直接締結するのでなく、ボルト穴６５に挿通されたボルト７５の外周溝に側方から留めネジ７７を係合させることで固定する。したがって、ボルト７５のキャップ側に作業スペースが確保できない場合でも、留めネジ７７を回転させることで、容易に組立、分解作業を行うことができる。
【００５０】
（６）モジュール固定用ブロック４１、４２は、ジャッキアップボルト８７及びアイボルト８８が螺合可能な雌ねじ穴４８が形成されているため、底部ブロック１０との分解作業や吊り下げ作業を容易に行うことができる。
【００５１】
以上、本発明はこのような実施形態に限定されるものではなく、その趣旨を逸脱しない範囲において、種々の形態で実施することができる。
【符号の説明】
【００５２】
１０・・・底部ブロック、  １１〜１４・・・配線溝、
２１、２２・・・導電バー、
３０・・・太陽電池モジュール、
３１・・・上面、  ３２・・・下面、  ３３・・・正面、  ３４・・・背面、
３５・・・左側面、３６・・・右側面、３７・・・正電極、３８・・・負電極、
４１、４２・・・モジュール固定用ブロック、  ４５・・・ボルト穴
５０・・・強化ガラス、
６１、６２・・・強化ガラス固定用ブロック、
６５・・・ボルト穴、  ７５・・・ボルト、
８０・・・太陽電池ユニット。
【図１】
2020039195.tif 000003
【図２】
2020039195.tif 000004
【図３】
2020039195.tif 000005
【図４】
2020039195.tif 000006
【図５】
2020039195.tif 000007
【図６】
2020039195.tif 000008
【図７】
2020039195.tif 000009
【図８】
2020039195.tif 000010